(57)【要約】【課題】  本発明は、施工が容易で作業効率を高くすることのできるマンホールに接続する下水道本管の取付装置を提供することにある。【解決手段】  本発明は、マンホールの周壁５に下水道本管４を取り付けるための取付装置であって、弾性筒体１と、内環２と、外環３とを備えており、弾性筒体１は、筒の他方側開口１ｂを有する端部が下水道本管４の端部外周を嵌合するとともに、筒の一方側開口１ａを有する端部がマンホールの周壁５の削孔５ａに挿通しており、内環２は、弾性筒体１のマンホールの周壁５の削孔５ａに挿通した一方側開口１ａの内周側に配置してあり、環の全周に亘って間隔をあけて複数の螺合孔８を有しており、各螺合孔８には締付具１１が内周側から螺合してあり、外環３は、弾性筒体１と内環２の間に配置してあり、内環２の締付具１１の出没で拡開可能に形成してあり、内環２と外環３には、いずれか一方に係止部１２を有し、他方には係止部１２と係止する被係止部１３を有していることを特徴とする。【選択図】      図１
2015172307.tif 000002
【特許請求の範囲】
【請求項１】
マンホールの周壁に下水道本管を取り付けるための取付装置であって、
弾性筒体と、内環と、外環とを備えており、弾性筒体は、筒の他方側開口を有する端部が下水道本管の端部外周を嵌合するとともに、筒の一方側開口を有する端部がマンホールの周壁の削孔に挿通しており、内環は、弾性筒体１のマンホールの周壁の削孔に挿通した一方側開口の内周側に配置してあり、環の全周に亘って間隔をあけて複数の螺合孔を有しており、各螺合孔には締付具が内周側から螺合してあり、外環は、弾性筒体と内環の間に配置してあり、内環の締付具の出没で拡開可能に形成してあり、
内環と外環には、いずれか一方に係止部を有し、他方には係止部と係止する被係止部を有していることを特徴とするマンホールに接続する下水道本管の取付装置。  
【請求項２】
係止部と被係止部は、内環または外環の周方向の所定範囲でのみ移動自在に係止してあることを特徴とする請求項１記載のマンホールに接続する下水道本管の取付装置。
【請求項３】
外環は、分断しており、分断された一端部には案内部が設けてあり、他端部には被案内部が設けてあり、案内部は、被案内部を外環の周方向にのみ移動させることを特徴とする請求項１又は２記載のマンホールに接続する下水道本管の取付装置。
【請求項４】
係止部と被係止部は、いずれかに設けてあるガイド溝または孔により、内環または外環の周方向の所定範囲に移動自在に形成してあることを特徴とする請求項１、２又は３記載のマンホールに接続する下水道本管の取付装置。
【発明の詳細な説明】
【技術分野】
【０００１】
本発明は、家庭や事業所、公共施設等から排出される汚水等を流す下水道本管とマンホールとの接続部における取付装置に関するものである。
【背景技術】
【０００２】
下水道本管とマンホールの接続は、マンホールの周壁を削孔し、その削孔に下水道本管を取り付けることにより施工される。このとき、特許第３２３７７４８号公報に開示されるように、マンホール周壁と下水道本管に間には、ゴム等の弾性の材料で成形された弾性筒体が配置される。また、弾性筒体の内周側には、内環と外環からなる二重構造の環が取り付けてある。この二つの環のうち、内環は、マンホール内に突入する側がマンホール周壁の彎曲に合わせた形状をなしており、筒の内周側には、周方向に間隔をあけて複数の螺合孔が設けてある。また、外環は、環の一部が分断しており、その分断箇所の一端部と他端部が内外に重なった状態となって拡開可能に形成されている。そして、内環の内周側に設けてある各螺合孔にボルトやネジ等の締付具を螺合するとともに、各締付具を締め込むことにより、各締付具の先端が外環を内周側から押圧する。これによって、外環が拡開して弾性筒体の内周側の全周に亘って当接し、マンホールの周壁の削孔と外環との間に弾性筒体が圧接される。このことから、弾性筒体によって、下水道本管とマンホールの周壁との接続箇所に耐震性能が付与される。
【先行技術文献】
【特許文献】
【０００３】
【特許文献１】特許第３２３７７４８号公報
【発明の概要】
【発明が解決しようとする課題】
【０００４】
しかしながら、上記のような取付装置では、各締付具を締め込んだときに、締付具の回転により発生した軸力が外環の内周側に伝わる。このことから、外環が締付具と供回りして弾性筒体の内周側の所定の位置からズレて取り付けられることや、さらには、外環が弾性筒体から外れてしまう問題点があった。したがって、外環が弾性筒体の所定の位置に留まるように調整する作業を要することから、手間が増えるため、効率的な対策が必要となっている。
【０００５】
本発明は、上記課題を鑑みてなされたものであり、施工が容易で作業効率を高くすることのできるマンホールに接続する下水道本管の取付装置を提供することにある。
【課題を解決するための手段】
【０００６】
本発明のうち請求項１記載の発明は、マンホールの周壁に下水道本管を取り付けるための取付装置であって、弾性筒体と、内環と、外環とを備えており、弾性筒体は、筒の他方側開口を有する端部が下水道本管の端部外周を嵌合するとともに、筒の一方側開口を有する端部がマンホールの周壁の削孔に挿通しており、内環は、弾性筒体のマンホールの周壁の削孔に挿通した一方側開口の内周側に配置してあり、環の全周に亘って間隔をあけて複数の螺合孔を有しており、各螺合孔には締付具が内周側から螺合してあり、外環は、弾性筒体と内環の間に配置してあり、内環の締付具の出没で拡開可能に形成してあり、内環と外環には、いずれか一方に係止部を有し、他方には係止部と係止する被係止部を有していることを特徴とする。  
【０００７】
本発明のうち請求項２記載の発明は、係止部と被係止部は、内環または外環の周方向の所定範囲でのみ移動自在に係止してあることを特徴とする。
【０００８】
本発明のうち請求項３記載の発明は、外環は、分断しており、分断された一端部には案内部が設けてあり、他端部には被案内部が設けてあり、案内部は、被案内部を外環の周方向にのみ移動させることを特徴とする。
【０００９】
本発明のうち請求項４記載の発明は、外環の分断された一端部または他端部の内周部には、延出して一端部と他端部に跨って配置される締付具の受け部材が設けてあることを特徴とする。
【発明の効果】
【００１０】
本発明のうち請求項１記載の発明によれば、内環と外環に設けてある係止部と被係止部が係止することにより、締付具によって外環で弾性筒体を押圧して締付具の締付時の回転により発生した軸力で、外環が供回りしようとしたときに、内環と外環の係止部と被係止部の係止により軸力に抗する。これにより、外環を弾性筒体の内周側の所定の位置に留めることができる。したがって、締付具で外環を締め付けるときに、外環を弾性筒体の所定の位置に留まるように調整する手間を要さず、効率的な施工が行えるようになる。
【００１１】
本発明のうち請求項２記載の発明によれば、係止部と被係止部が外環の周方向の所定範囲内でのみ移動可能に係止してあることから、締付具からの押圧による外環の拡開に応じて、所定の範囲内で係止部と被係止部が外環の周方向に移動する。さらに、外環の孔挿通方向には、係止部と被係止部が係止状態を保持しているので、締付具の締付時の回転により発生した軸力で外環が共回りせず、弾性筒体に対して外環の安定的且つ容易な取り付けができる。
【００１２】
本発明のうち請求項３記載の発明によれば、外環の分断された一端部と他端部にそれぞれ設けてある案内部と被案内部により、外環の拡開動作を外環の周方向に精度よく導くことで、外環を弾性筒体の内周側に正確に取り付けることができる。さらに、締付具による締付時の軸力の発生により、外環の分断された一端部と他端部が弾性筒体との摩擦抵抗で相反する方向に引っ張られる。これに対しては、一端部と他端部に有する案内部と被案内部が外環の孔挿通方向に動くことを規制するので、外環の分断された一端部と他端部の間隔が外環の孔挿通方向に拡がらない構造となる。
【００１３】
本発明のうち請求項４記載の発明によれば、外環の分断された一端部と他端部の間に跨って配置される受け部材により、外環が周方向にのみスライド自在に拡開する。これにより、各締付具が外環の内周側を押圧して拡開したときに、外環の分断された両端部が拡開せずに外れることがなく、外環が弾性筒体の内周側を確実に押圧させることができる。
【図面の簡単な説明】
【００１４】
【図１】本実施による取付装置の施工状態を示す、図２（ａ）中Ａ−Ａ線断面図である。
【図２（ａ）（ｂ）】本実施による取付装置の施工状態を示す、（ａ）は、マンホール内から見た一部を切欠した正面図であり、（ｂ）は、（ａ）中のＢ−Ｂ線断面図である。
【図３（ａ）（ｂ）】本実施による弾性筒体の（ａ）は、正面図であり、（ｂ）は、（ａ）中Ｃ−Ｃ線断面図である。
【図４（ａ）（ｂ）（ｃ）】本実施による内環の（ａ）は、正面図であり、（ｂ）は、（ａ）中Ｅを拡大して示す締付具の出没の作用状態を示す縦断面図であり、（ｃ）は、（ａ）中Ｄ−Ｄ線断面図である。
【図５（ａ）（ｂ）（ｃ）】本実施による外環の（ａ）は、正面図であり、（ｂ）は、（ａ）中Ｆ−Ｆ線断面図であり、（ｃ）は、（ｂ）中Ｇを拡大して示す簡略化した平面図である。
【図６（ａ）（ｂ）（ｃ）】本実施による取付装置の施工時における内環と外環の作動状態を示す（ａ）は正面図であり、（ｂ）は、（ａ）の要部を拡大して取付前の状態を示す縦断面図であり、（ｃ）は、取付後の状態を示す縦断面図である。
【図７（ａ）（ｂ）（ｃ）】本実施による取付装置の施工時における内環と外環の作動状態を示す（ａ）は平面図であり、（ｂ）は、（ａ）の要部を拡大して取付前の状態を示す簡略化した平面図であり、（ｃ）は、取付後の状態を示す簡略化した平面図である。
【発明を実施するための形態】
【００１５】
以下に、図面に基づいて本発明によるにマンホールに接続する下水道本管の取付装置の実施形態について説明する。
本実施による取付装置は、図１のように、弾性筒体１と、内環２と、外環３とから構成されている。ここで、マンホールは、図２（ａ）（ｂ）のように、本実施形態では円筒状の周壁５を有する構造体であり、その周壁５には下水道本管４が突入する削孔５ａが設けてある。また、下水道本管４は、本実施では比較的大口径のものであることからコンクリート管が使用されており、マンホールの周壁５に設けてある削孔５ａよりも径が小さく、下水道本管４を流れる汚水がマンホール内に円滑に流れる構造となっている。
尚、下水道本管４は、上記のコンクリート管以外に口径によって塩化ビニル管などが使用される
【００１６】
弾性筒体１は、図３（ａ）（ｂ）のように、本実施形態ではＳＢＲ（スタルブタジエンゴム）等のゴムで成形されており、全体が筒状をなすものである。また、弾性筒体１は、その筒の一方側開口１ａが他方側開口１ｂに比べて大きく開いており、弾性筒体１の他方側開口１ｂを有する端部が下水道本管４の外周部に取り付けられるとともに、一方側開口１ａを有する端部がマンホールの周壁５の削孔５ａに挿通される。さらに、弾性筒体１の一方側開口１ａから他方側開口１ｂまでの流路は、その内径が次第に狭まるテーパ状をなしており、下水道本管４を流れる排水がマンホール内に円滑に流れ込む構造となっている。また、弾性筒体１の他方側開口１ｂを有する端部には、図１もあわせて参照すれば、その外周部にステンレスバンドと呼ばれる締結固定バンド６を嵌めてある。この締付固定バンド６は、弾性筒体１の外周部のほぼ全周に亘って嵌めるとともに、締結固定バンド６の端部同士を合わせてボルトやナット等の締結固定具７で締め付けるものである。これにより、締結固定バンド６の径が縮小して弾性筒体１の他方側開口１ｂの端部の外周部全周を締め付けるので、弾性筒体１と下水道本管４との接続状態を確保している。さらに、弾性筒体１の一方側開口１ａの内周部には、外環設置溝１４が内周全周に連続して設けてあり、この外環設置溝１４には、後述するが内環２と外環３がそれぞれ配置される。
【００１７】
内環２は、図４（ａ）（ｂ）のように、本実施のものではステンレス鋼等の鋼材で成形したものであり、上記の弾性筒体１の一方側開口１ａの内周側に配置できるように、弾性筒体１の一方側開口１ａの内径よりも僅かに環の外径が小さく形成してある。また、内環２のマンホール内に突入する側の開口側の端縁は、マンホールの周壁５の彎曲にあわせた形状をなしている。さらに、内環２の内周側には、その周方向に間隔をあけて複数の螺合孔８が設けてある。また、各螺合孔８には、ネジ部を有する締付具１１がそれぞれ仮締めしてある。さらに、内環２の各螺合孔８の間には、被係止部１３が設けてある。この被係止部１３は、外環３の周方向に長い長孔状をなしており、本実施のものでは、内環２の周方向に間隔をあけた５箇所に設けてあり、このうち、最下部に配置される被係止部１３については、内環２と外環３の位置決めをするために丸孔状に形成してある。そして、上記の被係止部１３のそれぞれに後述する外環３の係止部１２が挿通する。
【００１８】
外環３は、図５（ａ）（ｂ）（ｃ）のように、外環３の周方向の一部が分断してあることにより、拡開可能となっており、これにより、図２（ａ）もあわせて参照すれば、弾性筒体１の一方側開口１ａと内環２の間に配置できるように径の調整が可能である。また、外環３の分断した一端部３ａと他端部３ｂは、一方（一端部３ａ）にほぼ凸状をなす案内凸部（案内部）１０ａを有し、他方（他端部３ｂ）にほぼ凹状をなす案内凹部（被案内部）１０ｂを有している。これにより、外環３の分断した一端部３ａと他端部３ｂは、平面視して互いが凹凸状に嵌り合う構造となる。この案内凸部１０ａと案内凹部１０ｂが嵌り合うことにより、分断した一端部３ａと他端部３ｂが外環３の周方向にのみ移動が許可されるが、外環３の孔挿通方向への移動は規制される構造となる。さらに、上記の分断した一端部３ａの内周部には、板状をなす受け部材９が取り付けてある。この受け部材９は、外環３の一端部３ａの内周部から外環３の他端部３ｂ側に向けて延出している。これにより、締付具１１が外環３の一端部３ａと他端部３ｂの位置にあっても、締付具１１の先端が受け部材９の内周側に当接し、外環３に対して締付具１１からの押圧力を均等に伝えることができる。また、外環３の内周部には、係止部１２が設けてある。この係止部１２は、外環３の内周部から内向きに突出した棒状をなしている。また、本実施のものでは、係止部１２は、外環３の周方向に間隔をあけた５箇所に設けてあり、外環３の内周に内環２を配置したときに、図６（ａ）のように、各係止部１２が内環２の各被係止部１３に挿通する。
【００１９】
上記のように形成した取付装置の取付手順、取付後の作用及び効果について、図６（ａ）〜（ｃ）と図７（ａ）〜（ｃ）に基づいて以下に説明する。
マンホールの周壁５に設けてある削孔５ａに、下水道本管４を取り付けた状態の弾性筒体１の一方側開口１ａを有する側の端部を挿通する。次に、弾性筒体１の一方側開口１ａの内周側に設けてある外環設置溝１４に外環３を配置し、さらに、その外環３の内周に内環２を配置する。このとき、弾性筒体１と外環３の間には、間隙Ｓが存在することから、内環２の各螺合孔８に仮締めしてある締付具１１をそれぞれ締結していき、各締付具１１の先端で外環３の内周側を押圧し、外環３を拡開させる。
このときに外環３は、図６（ａ）〜（ｃ）のように、各締付具１１の締付時に発生する軸力が内周部に伝わることで、締付具１１の先端を中心に外環３が供回りし、外環３が弾性筒体１の所定の位置から外れようとする。これに対して、外環３の内周部に設けてある各係止部１２が内環２のそれぞれに対応する被係止部１３に挿通し、外環３の孔挿通方向に係止することにより、締付具１１の締付時に発生する軸力に抗する構造となる。さらに、各締付具１１の先端からの押圧力で、外環３は弾性筒体１側に押し拡げられるが、内環２の被係止部１３が周方向に長い長孔状に形成してあることで、図７（ａ）〜（ｃ）のように、被係止部１３に係止している係止部１２が長孔状の被係止部１３に沿って外環３の周方向に移動し、内環２との係止状態を保ったまま締付具１１による外環３の拡開に対応する。また、外環３の拡開とともに、外環３の分断された一端部３ａと他端部３ｂ間の間隔Ｐも拡がるが、一端部３ａの案内凸部１０ａと他端部３ｂの案内凹部１０ｂが嵌り合うことにより、外環３の一端部３ａと他端部３ｂが孔挿通方向には規制されつつも、外環３の周方向のみにスライドする。これにより、外環３の分断した一端部３ａと他端部３ｂの間には、外環３の拡開の度合いに関わらず、案内凸部１０ａと案内凹部１０ｂと受け部材９が常に配置される。したがって、外環３が拡開して一端部３ａと他端部３ｂの間隙Ｐが拡がっても、案内凸部１０ａと案内凹部１０ｂの合わさりによって、外環３が常に周方向に連続する。このことから、外環３を弾性筒体１の内周側に取り付けたときに、案内凸部１０ａと案内凹部１０ｂが孔挿通方向に係止することで、外環３が締付具１１との共回りで弾性筒体１内で孔挿通方向に回転して外れることがなく、さらに、上記の回転を防ぐために外環３を固定する手間も要さない。また、外環３が拡開しても、その分断箇所の内周側に受け部材９が常に配置されることから、仮に締付具１１が分断箇所に位置しても、その締付力からの押圧力をしっかりと受けることができる。上記のことから、弾性筒体１をマンホールの周壁５の削孔５ａに精度よく安定して取り付けられることになる。
【００２０】
本発明のマンホールに接続する下水道本管４との取付装置は、特許請求の範囲に記載する範囲内であれば、上記実施形態とに示す各構成部位の形状等に限定されない。
弾性筒体１は、上記のゴムの他、変形力や耐候性および耐薬品性能とともに、下水道本管４とマンホールの周壁５に取り付けられたときに、地盤震動や排水の流入等でかかる剪断力や土圧、荷重等に抗する材質で成形されていればよい。また、外環３は、上記実施形態では外周部を滑らかに形成しているが、弾性筒体１の内周側に取り付けたときに、弾性筒体１の内周全周に隙間なく当接する形状であればよい。さらに、弾性筒体１がマンホールの周壁５の削孔５ａの全周に密着して水密性を確保できる構造であればよいから、外環３の外周面を粗面にし、弾性筒体１との摩擦抵抗を高めてズレを防止するものなどであってもよい。さらに、内環２と外環３を係止する係止部１２と被係止部１３は、上記の実施形態では外環３の内周部に設けてた棒状のものが内環２の長孔に挿通するものであったが、係止部１２と被係止部１３の一方を内環２及び外環３の周方向に長い溝状にし、他方を突起部や鉤状部とし、突起部あるいは鉤状部が上記した溝の形成範囲内で移動自在に係止するものであってもよい。また、係止部１２と被係止部１３は、互いが周方向にスライド自在に係止する構造であれば、内環２と外環３のどちらに設けてあってもよい。さらに、外環３を拡張または収縮する一端部３ａと他端部３ｂの構造は、締付具１１の押圧によって外環３が拡張または収縮しても、外環３が周方向に連続的な構造となるものであれば、形状や大きさなどは限定しない。
【符号の説明】
【００２１】
１  弾性筒体
１ａ  一方側開口
１ｂ  他方側開口
２  内環
３  外環
３ａ  一端部
３ｂ  他端部
４  下水道本管
５  周壁
５ａ  削孔
６  締付固定バンド
７  締結固定具
８  螺合孔
９  受け部材
１０ａ  案内凸部（案内部）
１０ｂ  案内凹部（被案内部）
１１  締付具
１２  係止部
１３  被係止部
１４  外環設置溝
Ｐ  間隔
Ｓ  間隙
【図１】
2015172307.tif 000003
【図２（ａ）（ｂ）】
2015172307.tif 000004
【図３（ａ）（ｂ）】
2015172307.tif 000005
【図４（ａ）（ｂ）（ｃ）】
2015172307.tif 000006
【図５（ａ）（ｂ）（ｃ）】
2015172307.tif 000007
【図６（ａ）（ｂ）（ｃ）】
2015172307.tif 000008
【図７（ａ）（ｂ）（ｃ）】
2015172307.tif 000009